(57)【要約】【課題】より高い品質およびセキュリティを確保し、ＮＧＮの加入端末が送受信する信号をＮＧＮ以外のネットワークへ双方向で中継伝送する。【解決手段】任意に分割された複数のグループから構成された次世代通信網にて、当該グループに収容された加入端末から受け付けた呼のセッション情報に基づいて、当該セッション情報の転送先が当該グループ内ではないと判断した場合、次世代通信網とは異なる網と、当該グループ以外のグループとのどちらか一方へ送信し、次世代通信網とは異なる網から送信されてきたセッション情報に基づいて、当該セッション情報を加入端末と当該グループ以外のグループとのどちらか一方へ送信し、当該グループ以外のグループから送信されてきたセッション情報に基づいて、当該セッション情報を加入端末と次世代通信網とは異なる網とのどちらか一方へ送信する。【選択図】図１
2010206461.tif 000002
【特許請求の範囲】
【請求項１】
任意に分割された複数のグループから構成された次世代通信網にてセッション情報を中継転送する通信システムであって、
前記複数のグループのうち少なくとも１つは、
当該グループに収容された加入端末から呼を受け付け、該呼のセッション情報をＳＩＰ処理して送信する加入者セッション制御サーバと、
該加入者セッション制御サーバから送信されてきたセッション情報に基づいて、当該セッション情報の転送先が前記次世代通信網の当該グループ内ではないと判断した場合、該セッション情報を当該グループと接続された前記次世代通信網とは異なる網へ送信する第１の中継セッション制御サーバと、
該加入者セッション制御サーバから送信されてきたセッション情報を当該グループ以外のグループへ送信する第２の中継セッション制御サーバとを有し、
前記加入者セッション制御サーバは、前記セッション情報に基づいて、該セッション情報を前記第１の中継セッション制御サーバと前記第２の中継セッション制御サーバとのどちらか一方へ送信し、前記第１の中継セッション制御サーバまたは前記第２の中継セッション制御サーバから送信されてきたセッション情報を前記加入端末へ送信し、
前記第１の中継セッション制御サーバは、前記次世代通信網とは異なる網から送信されてきたセッション情報に基づいて、該セッション情報を前記加入者セッション制御サーバと前記第２の中継セッション制御サーバとのどちらか一方へ送信し、
前記第２の中継セッション制御サーバは、当該グループ以外のグループから送信されてきたセッション情報に基づいて、該セッション情報を前記加入者セッション制御サーバと前記第１の中継セッション制御サーバとのどちらか一方へ送信する通信システム。
【請求項２】
請求項１に記載の通信システムにおいて、
前記第１の中継セッション制御サーバは、２つの系統を有し、前記セッション情報を送信している経路に障害が発生した場合、現在送信に使用していない系統を用いて該経路を迂回した経路で前記セッション情報を送信することを特徴とする通信システム。
【請求項３】
請求項１に記載の通信システムにおいて、
前記複数のグループのうち少なくとも１つは、
回線交換網と接続するためのＰＳＴＮ接続装置と、
他社のＩＰ網と接続するための他社ＩＰ網接続装置とを有し、
前記第１の中継セッション制御サーバは、前記次世代通信網とは異なる自社のＩＰ網と接続され、前記加入者セッション制御サーバから送信されてきたセッション情報に基づいて、該セッション情報を前記ＰＳＴＮ接続装置と前記他社ＩＰ網接続装置と前記自社のＩＰ網とのいずれかへ送信することを特徴とする通信システム。
【請求項４】
請求項３に記載の通信システムにおいて、
前記第１の中継セッション制御サーバは、該セッション情報を前記自社のＩＰ網へ送信する場合、前記次世代通信網と前記自社のＩＰ網との能力差分を吸収することを特徴とする通信システム。
【請求項５】
請求項１に記載の通信システムにおいて、
前記複数のグループのうち少なくとも１つは、
前記加入端末のユーザ認証を行い、前記加入端末から送信されたパケットを転送するルータ装置を有し、
前記加入者セッション制御サーバは、前記ルータ装置を経由して前記加入端末を収容することを特徴とする通信システム。
【請求項６】
請求項１に記載の通信システムにおいて、
前記加入者セッション制御サーバと、前記第１の中継セッション制御サーバと、前記第２の中継セッション制御サーバとは、互いにＳＩＰのプロトコルを用いて接続されることを特徴とする通信システム。
【請求項７】
請求項３に記載の通信システムにおいて、
前記第１の中継セッション制御サーバは、前記ＰＳＴＮ接続装置、前記自社のＩＰ網および前記他社ＩＰ網接続装置との間でＳＩＰのプロトコルを用いて接続されることを特徴とする通信システム。
【請求項８】
任意に分割された複数のグループから構成された次世代通信網にてセッション情報を中継転送する中継転送方法であって、
前記グループに設けられたサーバが、当該グループに収容された加入端末から受け付けた呼のセッション情報に基づいて、該セッション情報の転送先が前記次世代通信網の当該グループ内ではないと判断した場合、該セッション情報を当該グループと接続された前記次世代通信網とは異なる網と、当該グループ以外のグループとのどちらか一方へ送信する処理と、
前記サーバが、前記次世代通信網とは異なる網から送信されてきたセッション情報に基づいて、該セッション情報を前記加入端末と当該グループ以外のグループとのどちらか一方へ送信する処理と、
前記サーバが、当該グループ以外のグループから送信されてきたセッション情報に基づいて、該セッション情報を前記加入端末と前記次世代通信網とは異なる網とのどちらか一方へ送信する処理とを有する中継転送方法。
【請求項９】
請求項８に記載の中継転送方法において、
前記サーバが、前記セッション情報を送信している経路に障害が発生した場合、該経路を迂回した経路で前記セッション情報を送信する処理を有することを特徴とする中継転送方法。
【請求項１０】
請求項８に記載の中継転送方法において、
当該グループと接続された前記次世代通信網とは異なる網へ前記セッション情報を送信する場合、前記セッション情報に基づいて、該セッション情報を前記次世代通信網とは異なる網である回線交換網と他社のＩＰ網と前記次世代通信網とは異なる自社のＩＰ網とのいずれかへ送信する処理を有することを特徴とする中継転送方法。
【発明の詳細な説明】
【技術分野】
【０００１】
本発明は、セッション情報を中継転送する通信システムおよび中継転送方法に関する。
【背景技術】
【０００２】
近年、インターネットを使って情報の取得や交換の普及が著しく行われている。インターネットの標準化がＩＥＴＦ（Internet Engineering Task Force）  ＲＦＣ等で行われている一方、国際通信連合（ＩＴＵ−Ｔ：International Telecommunication Union - Telecom）では、２００１年から次世代通信網（ＮＧＮ：Next Generation Network）の国際標準化の議論が進められている。このＮＧＮについては、国内においても２００５年にＴＴＣ（Telecommunication Technology Committee）にＮＧＮアーキテクチャ専門委員会が設置され、接続インタフェースの標準化作業が進められている（例えば、非特許文献１参照。）。
【０００３】
また、一般的に用いられる銅線の加入者回線に代わって光ファイバによる高速かつ安定した品質のブロードバンドアクセスの需要が本格的に立ち上がり、国内の光アクセスサービス（ＦＴＴＨ：Fiber To The Home）の加入者数は１０００万加入に達している。また、ＩＰ（Internet Protocol）電話の利用も増大してきている。
【０００４】
こうした状況を踏まえ、通信サービス提供事業者は、光ファイバ通信とＩＰ通信とを融合させたＮＧＮの開発を一斉に開始している（例えば、非特許文献２参照。）。
【先行技術文献】
【非特許文献】
【０００５】
【非特許文献１】「ＥＴＳＩ  ＴＩＳＰＡＮのＮＧＮ標準化動向」、ＮＴＴ技術ジャーナル、２００６．４
【非特許文献２】「ＮＧＮが提供する新しいコミュニケーションとそれを支える技術」、ＮＴＴ技術ジャーナル、２００７．４
【発明の概要】
【発明が解決しようとする課題】
【０００６】
非特許文献１には、ＴＩＳＰＡＮ（Telecoms & Internet converged Services & Protocols for Advanced Networks）  ＮＧＮアーキテクチャとしてＮＧＮにはＰＳＴＮ（Public Switched Telephone Network）／ＩＳＤＮ（Integrated Services Digital Network）エミュレーションサブシステムを含むと記載されている。しかしながら、転送先としては、他ネットワークとして一括されており、他社ＩＰ網あるいはＰＳＴＮ網あるいは自社の別ＩＰ網にそれぞれ中継転送する場合への具体的実現方法が記載されていない。また、ユーザについてもＮＧＮのユーザ装置がサービス層と転送層とで機能してユーザ情報を扱うユーザプロファイルを機能し、アプリケーション機能を収容してコアＩＭＳ（IP Multimedia Subsystem）エミュレーションをしていると記載されている。そのため、それらの機能だけでは、ユーザ端末の送受する様々な情報の収容と転送とを具体化することはできない。
【０００７】
また、非特許文献２には、ＮＧＮサービスの特徴である品質規定条件の具体的数字も含めての詳細やＩＰ電話の品質基準値が記述されている。しかしながら、それらの数値だけでは、システムを実現することができない。
【０００８】
本発明の目的は、上述した課題を解決する通信システムおよび中継転送方法を提供することである。
【課題を解決するための手段】
【０００９】
本発明の通信システムは、
任意に分割された複数のグループから構成された次世代通信網にてセッション情報を中継転送する通信システムであって、
前記複数のグループのうち少なくとも１つは、
当該グループに収容された加入端末から呼を受け付け、該呼のセッション情報をＳＩＰ処理して送信する加入者セッション制御サーバと、
該加入者セッション制御サーバから送信されてきたセッション情報に基づいて、当該セッション情報の転送先が前記次世代通信網の当該グループ内ではないと判断した場合、該セッション情報を当該グループと接続された前記次世代通信網とは異なる網へ送信する第１の中継セッション制御サーバと、
該加入者セッション制御サーバから送信されてきたセッション情報を当該グループ以外のグループへ送信する第２の中継セッション制御サーバとを有し、
前記加入者セッション制御サーバは、前記セッション情報に基づいて、該セッション情報を前記第１の中継セッション制御サーバと前記第２の中継セッション制御サーバとのどちらか一方へ送信し、前記第１の中継セッション制御サーバまたは前記第２の中継セッション制御サーバから送信されてきたセッション情報を前記加入端末へ送信し、
前記第１の中継セッション制御サーバは、前記次世代通信網とは異なる網から送信されてきたセッション情報に基づいて、該セッション情報を前記加入者セッション制御サーバと前記第２の中継セッション制御サーバとのどちらか一方へ送信し、
前記第２の中継セッション制御サーバは、当該グループ以外のグループから送信されてきたセッション情報に基づいて、該セッション情報を前記加入者セッション制御サーバと前記第１の中継セッション制御サーバとのどちらか一方へ送信する。
【００１０】
また、前記第１の中継セッション制御サーバは、２つの系統を有し、前記セッション情報を送信している経路に障害が発生した場合、現在送信に使用していない系統を用いて該経路を迂回した経路で前記セッション情報を送信することを特徴とする。
【００１１】
また、前記複数のグループのうち少なくとも１つは、
回線交換網と接続するためのＰＳＴＮ接続装置と、
他社のＩＰ網と接続するための他社ＩＰ網接続装置とを有し、
前記第１の中継セッション制御サーバは、前記次世代通信網とは異なる自社のＩＰ網と接続され、前記加入者セッション制御サーバから送信されてきたセッション情報に基づいて、該セッション情報を前記ＰＳＴＮ接続装置と前記他社ＩＰ網接続装置と前記自社のＩＰ網とのいずれかへ送信することを特徴とする。
【００１２】
また、前記第１の中継セッション制御サーバは、該セッション情報を前記自社のＩＰ網へ送信する場合、前記次世代通信網と前記自社のＩＰ網との能力差分を吸収することを特徴とする。
【００１３】
また、前記複数のグループのうち少なくとも１つは、
前記加入端末のユーザ認証を行い、前記加入端末から送信されたパケットを転送するルータ装置を有し、
前記加入者セッション制御サーバは、前記ルータ装置を経由して前記加入端末を収容することを特徴とする。
【００１４】
また、前記加入者セッション制御サーバと、前記第１の中継セッション制御サーバと、前記第２の中継セッション制御サーバとは、互いにＳＩＰのプロトコルを用いて接続されることを特徴とする。
【００１５】
また、前記第１の中継セッション制御サーバは、前記ＰＳＴＮ接続装置、前記自社のＩＰ網および前記他社ＩＰ網接続装置との間でＳＩＰのプロトコルを用いて接続されることを特徴とする。
【００１６】
また、任意に分割された複数のグループから構成された次世代通信網にてセッション情報を中継転送する中継転送方法であって、
前記グループに設けられたサーバが、当該グループに収容された加入端末から受け付けた呼のセッション情報に基づいて、該セッション情報の転送先が前記次世代通信網の当該グループ内ではないと判断した場合、該セッション情報を当該グループと接続された前記次世代通信網とは異なる網と、当該グループ以外のグループとのどちらか一方へ送信する処理と、
前記サーバが、前記次世代通信網とは異なる網から送信されてきたセッション情報に基づいて、該セッション情報を前記加入端末と当該グループ以外のグループとのどちらか一方へ送信する処理と、
前記サーバが、当該グループ以外のグループから送信されてきたセッション情報に基づいて、該セッション情報を前記加入端末と前記次世代通信網とは異なる網とのどちらか一方へ送信する処理とを有する。
【００１７】
また、前記サーバが、前記セッション情報を送信している経路に障害が発生した場合、該経路を迂回した経路で前記セッション情報を送信する処理を有することを特徴とする。
【００１８】
また、当該グループと接続された前記次世代通信網とは異なる網へ前記セッション情報を送信する場合、前記セッション情報に基づいて、該セッション情報を前記次世代通信網とは異なる網である回線交換網と他社のＩＰ網と前記次世代通信網とは異なる自社のＩＰ網とのいずれかへ送信する処理を有することを特徴とする。
【発明の効果】
【００１９】
以上説明したように本発明においては、任意に分割された複数のグループから構成された次世代通信網にて、当該グループに収容された加入端末から受け付けた呼のセッション情報に基づいて、当該セッション情報の転送先が次世代通信網の当該グループ内ではないと判断した場合、当該セッション情報を当該グループと接続された次世代通信網とは異なる網と、当該グループ以外のグループとのどちらか一方へ送信し、次世代通信網とは異なる網から送信されてきたセッション情報に基づいて、当該セッション情報を加入端末と当該グループ以外のグループとのどちらか一方へ送信し、当該グループ以外のグループから送信されてきたセッション情報に基づいて、当該セッション情報を加入端末と次世代通信網とは異なる網とのどちらか一方へ送信する構成としたため、より安定した品質を保証し、より高いセキュリティを確保し、ＮＧＮの加入端末が送受信する信号をＮＧＮとは異なる他のネットワークへ双方向で中継伝送することができる。
【図面の簡単な説明】
【００２０】
【図１】本発明の通信システムの実施の一形態を示す図である。
【図２】図１に示したＳＳＣの内部構成の一例を示す図である。
【図３】図１に示した同一グループ内にセッション情報を転送するＩＳＣの内部構成の一例を示す図である。
【図４】図１に示した他のグループにセッション情報を転送するＩＳＣの内部構成の一例を示す図である。
【図５】図１に示した他のグループに収容された加入端末からグループ内に収容された加入端末へ発信が行われたときの動作を説明するための図である。
【図６】アプリケーションサービス（ＡＳ）機能源の配置と機能とを説明するための図である。
【図７】図５に示した形態において、各装置間でセッション情報の送受信に用いられるプロトコルを示す図である。
【図８】図５に示した自社別ＩＰ網に収容された加入端末へ発信した場合のセッション情報の中継転送動作を説明するための図である。
【図９】図５に示した自社別ＩＰ網に収容された加入端末へセッション情報を中継転送する動作を説明するための図である。
【図１０】図５に示したＰＳＴＮに収容された加入端末へセッション情報を中継転送する動作を説明するための図である。
【図１１】図５に示した他社ＩＰ網に収容された加入端末へセッション情報を中継転送する動作を説明するための図である。
【図１２】図１に示したグループ内のセッション情報の転送経路の一例を示す図である。
【図１３】図１２に示した転送経路に障害が発生した場合の迂回経路の一例を示す図である。
【図１４】図１２に示した転送経路に障害が発生した場合の迂回経路の他の例を示す図である。
【発明を実施するための形態】
【００２１】
以下に、本発明の実施の形態について図面を参照して説明する。
【００２２】
図１は、本発明の通信システムの実施の一形態を示す図である。
【００２３】
本形態は図１に示すように、ＮＧＮ１と、ＰＳＴＮ２と、自社別ＩＰ網３と、他社ＩＰ網４と、加入端末５とから構成されている。
【００２４】
ＮＧＮ１は、次世代通信網であり、複数のグループに分割されている。このグループとは、例えば電話番号の局番に基づいて分割された（局番「０３」が１つのグループであり、また局番「０４」が別の１つのグループである等）グループであっても良く、その分割方法については任意であり、ここでは特に規定しない。図１には、グループ１０とグループ２０との２つのグループに分割されている場合を例に挙げて示した。
【００２５】
ＰＳＴＮ２は、一般の加入電話回線網（回線交換網）である。
【００２６】
自社別ＩＰ網３は、自社が所有するＩＰ網であり、ＮＧＮ１とは異なる別のネットワークである。
【００２７】
他社ＩＰ網４は、他社が所有するＩＰ網である。
【００２８】
加入端末５は、ＮＧＮ１に加入する加入者が所持する端末である。
【００２９】
また、ＮＧＮ１は、グループ１０とグループ２０との２つのグループにあらかじめ分けられている。この分割方法については上述したように任意である。
【００３０】
グループ１０には、ＳＳＣ（Subscriber Session Control）１１と、ＩＳＣ（Intermediate Session Control）１２，１３と、ＰＳＴＮ接続装置１４と、他社ＩＰ網接続装置１５とが設けられている。
【００３１】
ＳＳＣ１１は、加入端末５を収容し、加入端末５から要求された呼のセッション情報をＳＩＰ（Session Initiation Protocol）処理し、サービスアプリケーションを起動し、サービスセッション制御を行い、セッション情報に基づいて当該セッション情報をＩＳＣ１２とＩＳＣ１３とのどちらか一方へＳＩＰを用いて転送（送信）する加入者セッション制御サーバである。また、ＳＳＣ１１は、ＩＳＣ１２またはＩＳＣ１３から送信されてきたセッション情報を、加入端末５へ送信する。
【００３２】
ＩＳＣ１２は、ＳＳＣ１１から転送されてきたセッション情報に基づいて、該セッション情報の転送先がグループ１０内ではないと判断した場合、当該セッション情報に基づいて、当該セッション情報をＰＳＴＮ接続装置１４と自社別ＩＰ網３と他社ＩＰ網接続装置１５とのいずれかへＳＩＰ中継転送する第１の中継セッション制御サーバである。また、ＩＳＣ１２は、ＳＳＣ１１から転送されてきたセッション情報に基づいて、該セッション情報の転送先がグループ１０内であると判断した場合、当該セッション情報をグループ１０内に設けられたＳＳＣ１１以外のＳＳＣ（不図示）へＳＩＰ中継転送する。また、ＩＳＣ１２は、セッション情報を自社別ＩＰ網３へ転送する場合、ＮＧＮ１と自社別ＩＰ網３との能力差分を吸収して転送する。また、ＩＳＣ１２は、転送経路に障害が発生した場合、障害が発生した経路を迂回する迂回中継を行う。この迂回中継の動作については、後述する。また、ＩＳＣ１２は、ＩＣＳ１３またはＰＳＴＮ接続装置１４または自社別ＩＰ網３または他社ＩＰ網接続装置１５から送信されてきたセッション情報に基づいて、当該セッション情報をＳＳＣ１１またはＩＳＣ１３へ送信する。
【００３３】
ＩＳＣ１３は、ＳＳＣ１１から転送されてきたセッション情報をグループ２０（ＩＳＣ２３）へ転送する第２の中継セッション制御サーバである。また、ほかのグループであるグループ２０（ＩＳＣ２３）から転送されてきたセッション情報をＩＳＣ１２またはＳＳＣ１１へＳＩＰ中継転送する。また、ＩＳＣ１３は、ＩＳＣ２３から送信されてきたセッション情報に基づいて、当該セッション情報をＳＳＣ１１またはＩＳＣ１２へ送信する。
【００３４】
ＰＳＴＮ接続装置１４は、ＮＧＮ１とＰＳＴＮ２とを接続するための装置である。また、ＰＳＴＮ接続装置１４は、ＩＳＣ１２から転送されてきたセッション情報をＰＳＴＮ２へ転送する。また、ＰＳＴＮ接続装置１４は、ＰＳＴＮ２から転送されてきたセッション情報をＩＳＣ１２へ転送する。
【００３５】
他社ＩＰ網接続装置１５は、ＮＧＮ１と他社ＩＰ網４とを接続するための装置である。また、他社ＩＰ網接続装置１５は、ＩＳＣ１２から転送されてきたセッション情報を他社ＩＰ網４へ転送する。また、他社ＩＰ網接続装置１５は、他社ＩＰ網４から転送されてきたセッション情報をＩＳＣ１２へ転送する。
【００３６】
また、グループ２０には、ＩＳＣ２３が設けられている。
【００３７】
ＩＳＣ２３は、ブロック２０に収容された加入端末（不図示）からのセッション情報をグループ１０（ＩＳＣ１３）へ転送する。また、ＩＳＣ２３は、ＩＳＣ１３から転送されてきたセッション情報を転送受信してセッション処理を行う。
【００３８】
図２は、図１に示したＳＳＣ１１の内部構成の一例を示す図である。
【００３９】
図１に示したＳＳＣ１１には図２に示すように、ＳＩＰ処理部１１０と、転送部１１１とが設けられている。なお、図２には、図１に示したＳＳＣ１１を構成する構成要素のうち本発明に関わる要素のみを示した。
【００４０】
ＳＩＰ処理部１１０は、加入端末５から要求された呼のセッション情報をＳＩＰのプロトコルを用いて処理を行う。また、ＳＩＰ処理部１１０は、ＳＩＰ処理したセッション情報を転送部１１１へ出力する。また、ＳＩＰ処理部１１０は、転送部１１１から出力されたセッション情報をＳＩＰのプロトコルを用いて処理を行う。また、ＳＩＰ処理部１１０は、ＳＩＰ処理したセッション情報を加入端末５へ送信する。
【００４１】
転送部１１１は、サービスアプリケーションを起動し、ＳＩＰ処理部１１０から出力されてきたセッション情報に基づいて当該セッション情報をＩＳＣ１２とＩＳＣ１３とのどちらか一方へＳＩＰを用いて転送する。このとき、転送部１１１がセッション情報の転送先を決定するには、セッション情報に含まれる宛先等の当該セッション情報を送信する送信先を示す情報に基づくものである。また、転送部１１１は、ＩＳＣ１２またはＩＳＣ１３から転送されてきたセッション情報をＳＩＰ処理部１１０へ出力する。
【００４２】
図３は、図１に示したＩＳＣ１２の内部構成の一例を示す図である。
【００４３】
図１に示したＩＳＣ１２には図３に示すように、中継転送部１２０と、能力差分吸収部１２１とが設けられている。なお、図３には、図１に示したＩＳＣ１２を構成する構成要素のうち本発明に関わる要素のみを示した。
【００４４】
中継転送部１２０は、ＳＳＣ１１またはＩＳＣ１３（他のセッション制御機能）から送信（転送）されてきたセッション情報に基づいて当該セッション情報をＰＳＴＮ接続装置１４と能力差分吸収部１２１と他社ＩＰ網接続装置１５とのいずれかへＳＩＰ中継転送する。このとき、中継転送部１２０がセッション情報の転送先を決定するには、セッション情報に含まれる宛先等の当該セッション情報を送信する送信先を示す情報に基づくものである。また、中継転送部１２０は、ＰＳＴＮ接続装置１４と能力差分吸収部１２１と他社ＩＰ網接続装置１５とのいずれかから転送されてきたセッション情報をＳＳＣ１１（他のセッション制御機能）へ転送する。
【００４５】
能力差分吸収部１２１は、中継転送部１２０から転送されてきたセッション情報をＮＧＮ１と自社別ＩＰ網３との能力差分を吸収して自社別ＩＰ網３へ転送する。例えば、自社別ＩＰ網３が、ひかり電話のＭＳＩＰを収容する網である場合、接続対象となる当該網（自社別ＩＰ網３）とＮＧＮ１との能力差分を吸収する。また、能力差分吸収部１２１は、自社別ＩＰ網３から転送されてきたセッション情報をＮＧＮ１と自社別ＩＰ網３との能力差分を吸収して中継転送部１２０へ出力する。
【００４６】
図４は、図１に示したＩＳＣ１３の内部構成の一例を示す図である。
【００４７】
図１に示したＩＳＣ１３には図４に示すように、中継転送部１３０が設けられている。なお、図４には、図１に示したＩＳＣ１３を構成する構成要素のうち本発明に関わる要素のみを示した。
【００４８】
中継転送部１３０は、ＳＳＣ１１（他のセッション制御機能）から送信（転送）されてきたセッション情報をグループ２０（ＩＳＣ２３）へＳＩＰ中継転送する。また、中継転送部１３０は、グループ２０（ＩＳＣ２３）から転送されてきたセッション情報をＩＳＣ１２またはＳＳＣ１１へ転送する。ここで、ＳＳＣ１１から送信されてきたセッション情報の転送先がＩＳＣ１２である場合が考えられる。その場合は、中継転送部１３０は、ＳＳＣ１１（他のセッション制御機能）から送信（転送）されてきたセッション情報をＩＳＣ１２へＳＩＰ中継転送する。
【００４９】
図５は、図１に示したＩＳＣ２３に収容された加入端末からグループ１０に収容された加入端末５へ発信が行われたときの動作を説明するための図である。
【００５０】
図５に示した形態は、図１に示した形態に加入者サービスエッジであるＳＳＥ（Subscriber Service Edge）１６が追加されたものとなっている。つまり、ＳＳＣ１１はＳＳＥ１６を経由して加入端末５を収容する。ＳＳＥ１６は、パケットを転送するルータである。これにより、グループ２０のＩＳＣ２３に収容されている加入端末８から発信され転送されてきたセッション情報は、ＩＳＣ１３からＳＳＣ１１へ転送され、ＳＳＥ１６経由で加入端末５に着信する。
【００５１】
次に、アプリケーションサービス（ＡＳ）機能源の配置と機能とを説明する。
【００５２】
図６は、アプリケーションサービス（ＡＳ）機能源の配置と機能とを説明するための図である。
【００５３】
図６に示すように、グループ１０にＡＳ１７が設けられている。また、ＳＳＣ１１内にＡＳ１１９が設けられている。また、他社ＩＰ網４にＡＳ１９が収容されている。また、グループ２０にＡＳ２６が設けられている。
【００５４】
ＡＳ１１９は、ＮＧＮ１内のＳＳＣ１１に特有なアプリケーションサービス提供上の基本機能（例えば、ＳＩＰトランザクションに対応するサービスアプリケーション）を提供実行する。
【００５５】
ＡＳ１７は、グループ１０内で付加価値マルチメディアサービスを提供する。
【００５６】
ＡＳ１９は、ＮＧＮ１から独立している他社ＩＰ網４を経由して、ＩＳＣ１２と他社ＩＰ網接続装置１５との中継でアプリケーションサービスを提供する。
【００５７】
ＡＳ２６は、グループ２０固有のアプリケーションサービスを提供実行する。
【００５８】
ＡＳ１７，１９，２６，１１９が起動するタイミングは、１つのＡＳのみが起動する場合、または複数のＡＳが互いに同時に起動する場合、または互いに異なるグループにあるＡＳも含めて同時に起動する場合等がある。
【００５９】
図７は、図５に示した形態において、各装置間でセッション情報の送受信に用いられるプロトコルを示す図である。
【００６０】
図７に示すように、加入端末５とＳＳＥ１６との間では、ＳＩＰまたはＳＯＡＰ（Simple Object Access Protocol）または機器固有プロトコルが用いられる。また、ＳＳＥ１６とＳＳＣ１１との間では、ＳＩＰまたはＭＥＧＡＣＯ（Media Gateway Protocol）が用いられる。また、ＳＳＣ１１とＩＳＣ１２との間では、ＳＩＰが用いられる。また、ＳＳＣ１１とＩＳＣ１３との間では、ＳＩＰが用いられる。また、ＩＳＣ１２とＩＳＣ１３との間では、ＳＩＰが用いられる。また、ＩＳＣ１３とＩＳＣ２３との間では、ＳＩＰが用いられる。また、ＩＳＣ１２とＰＳＴＮ接続装置１４との間では、ＳＩＰが用いられる。また、ＩＳＣ１２と他社ＩＰ網接続装置１５との間では、ＳＩＰが用いられる。また、ＰＳＴＮ接続装置１４とＰＳＴＮ２との間では、ＳＩＰまたはＭＥＧＡＣＯが用いられる。また、ＩＳＣ１２と自社別ＩＰ網３との間では、ＳＩＰが用いられる。また、他社ＩＰ網接続装置１５と他社ＩＰ網４との間では、ＳＯＡＰが用いられる。
【００６１】
以下に、上述した形態におけるセッション情報の中継転送動作について具体的に説明する。ここでは、図５に示した形態におけるセッション情報の中継転送動作について例を挙げて説明する。
【００６２】
図８は、図５に示した形態において、加入端末５から自社別ＩＰ網３に収容された加入端末へ発信した場合のセッション情報の中継転送動作を説明するための図である。
【００６３】
図８に示すように、加入端末５から自社別ＩＰ網３に収容された加入端末３５へ発信が行われると、セッション情報がＳＳＣ１１からＩＳＣ１２へ転送され、ＩＳＣ１２から自社別ＩＰ網３へ転送され、加入端末３５と加入端末５とが通信可能となる。なお、ＳＳＥ１６では、加入端末５のユーザ認証が行われる。
【００６４】
同様に、加入端末３５がＰＳＴＮ２に収容されている場合は、セッション情報がＳＳＣ１１−ＩＳＣ１２−ＰＳＴＮ接続装置１４−ＰＳＴＮ２へ転送される。
【００６５】
また、加入端末３５が他社ＩＰ網４に収容されている場合は、セッション情報がＳＳＣ１１−ＩＳＣ１２−他社ＩＰ網接続装置１５−他社ＩＰ網４へ転送される。
【００６６】
次に、図１に示した形態における２層／３層構造の中継セッション制御について説明する。
【００６７】
図９は、図５に示したグループ２０に収容された加入端末から自社別ＩＰ網３に収容された加入端末へセッション情報を中継転送する動作を説明するための図である。
【００６８】
図９に示すように、ブロック２０に収容された加入端末８から自社別ＩＰ網３に収容された加入端末３６への呼が要求されると、セッション情報がＩＳＣ２３からＩＳＣ１３へ転送され、ＩＳＣ１３からＩＳＣ１２へ転送され、さらにＩＳＣ１２から自社別ＩＰ網３を介して加入端末３６へ転送される。このように、グループ１０におけるセッション情報の中継転送は、ＩＳＣ１３とＩＳＣ１２との２階層により行われる。その結果、グループ２０に収容されている加入端末８からの呼は、ＩＳＣ２３−ＩＳＣ１３−ＩＳＣ１２−自社別ＩＰ網３−加入端末３６の経路で加入端末３６にて受信される。この中継（転送）経路を太線で示す。
【００６９】
図１０は、図５に示したグループ２０に収容された加入端末からＰＳＴＮ２に収容された加入端末へセッション情報を中継転送する動作を説明するための図である。
【００７０】
図１０に示すように、ブロック２０に収容された加入端末８からＰＳＴＮ２に収容された加入端末３７への呼が要求されると、セッション情報がＩＳＣ２３からＩＳＣ１３へ転送され、ＩＳＣ１３からＩＳＣ１２へ転送され、ＩＳＣ１２からＰＳＴＮ接続装置１４へ転送され、さらにＰＳＴＮ接続装置１４からＰＳＴＮ２を介して加入端末３７へ転送される。このように、グループ１０におけるセッション情報の中継転送は、ＩＳＣ１３とＩＳＣ１２とＰＳＴＮ接続装置１４との３階層により行われる。その結果、グループ２０に収容されている加入端末８からの呼は、ＩＳＣ２３−ＩＳＣ１３−ＩＳＣ１２−ＰＳＴＮ接続装置１４−ＰＳＴＮ２−加入端末３７の経路で加入端末３７にて受信される。この中継（転送）経路を太線で示す。
【００７１】
図１１は、図５に示したグループ２０に収容された加入端末から他社ＩＰ網４に収容された加入端末へセッション情報を中継転送する動作を説明するための図である。
【００７２】
図１１に示すように、ブロック２０に収容された加入端末８から他社ＩＰ網４に収容された加入端末３８への呼が要求されると、セッション情報がＩＳＣ２３からＩＳＣ１３へ転送され、ＩＳＣ１３からＩＳＣ１２へ転送され、ＩＳＣ１２から他社ＩＰ網接続装置１５へ転送され、さらに他社ＩＰ網接続装置１５から他社ＩＰ網４を介して加入端末３８へ転送される。このように、グループ１０におけるセッション情報の中継転送は、ＩＳＣ１３とＩＳＣ１２と他社ＩＰ網接続装置１５との３階層により行われる。その結果、グループ２０に収容されている加入端末８からの呼は、ＩＳＣ２３−ＩＳＣ１３−ＩＳＣ１２−他社ＩＰ網接続装置１５−他社ＩＰ網４−加入端末３８の経路で加入端末３８にて受信される。この中継（転送）経路を太線で示す。
【００７３】
以下に、セッション情報の転送経路に障害が発生した場合の迂回動作について説明する。
【００７４】
図１２は、図１に示したグループ１０内のセッション情報の転送経路の一例を示す図である。
【００７５】
図１には示さなかったが、図１２に示すように、ＩＳＣ１２はＩＳＣ１２−１とＩＳＣ１２−２との２系統を有するものであっても良い。また、ＳＳＣが複数（ＳＳＣ１１−１，１１−２）設けられ、またＳＳＥが複数（１６−１，１６−２）設けられているものであっても良い。
【００７６】
図１２に示した例では、ＳＳＥ１６−１と接続されている加入端末５と、ＳＳＥ１６−２と接続されている加入端末３９との間における通信で、太線で示した経路（加入端末５−ＳＳＥ１６−１−ＳＳＣ１１−１−ＩＳＣ１２−１−ＳＳＣ１１−２−ＳＳＥ１６−２−加入端末３９）でセッション情報が転送されている。このとき、ＩＳＣ１２−１とＳＳＣ１１−２との間の経路で障害が発生したとする。
【００７７】
図１３は、図１２に示した転送経路に障害が発生した場合の迂回経路の一例を示す図である。
【００７８】
図１２に示したような転送経路に障害が発生した場合、図１３に示すように障害が発生している転送経路を迂回した転送経路でセッション情報が転送される。図１３に示した例では、太線で示した経路（加入端末５−ＳＳＥ１６−１−ＳＳＣ１１−１−ＩＳＣ１２−１−ＩＳＣ１２−２−ＳＳＣ１１−２−ＳＳＥ１６−２−加入端末３９）に転送経路が迂回され、迂回された転送経路でセッション情報が転送される。つまり、障害が発生しているＩＳＣ１２−１とＳＳＣ１１−２との間の経路が切り離され、転送経路が迂回した経路に変更されてセッション情報が転送される。
【００７９】
図１４は、図１２に示した転送経路に障害が発生した場合の迂回経路の他の例を示す図である。
【００８０】
図１２に示したような転送経路に障害が発生した場合、図１４に示すように障害が発生している転送経路を迂回した転送経路でセッション情報が転送される。図１４に示した例では、太線で示した経路（加入端末５−ＳＳＥ１６−１−ＳＳＣ１１−１−ＩＳＣ１２−２−ＳＳＣ１１−２−ＳＳＥ１６−２−加入端末３９）に転送経路が迂回され、迂回された転送経路でセッション情報が転送される。つまり、障害が発生しているＩＳＣ１２−１とＳＳＣ１１−２との間の経路が切り離され、転送経路が迂回した経路に変更されてセッション情報が転送される。
【００８１】
このように、ＳＩＰによる網内転送とサービスセッション制御情報を２層または３層の中継転送網とで転送する。これにより、インターネットと比較してＮＧＮの本来の特徴である、より安定した品質を保証し、より高いセキュリティを提供することができる。また、ＮＧＮとは異なる電気通信網回線レベルに近い信頼性のＩＰ回線を確保して、ＮＧＮの加入端末が送受信する情報信号をＮＧＮとは異なるＰＳＴＮや他社ＩＰ網や自社の別ＩＰ網へ双方向で中継伝送することが可能となる。これにより、電気通信産業には情報通信産業としての新たな発展の可能性が生まれ、またその相乗効果としてＷｅｂ産業の一層の発展に資する可能性がある。
【符号の説明】
【００８２】
１    ＮＧＮ
２    ＰＳＴＮ
３    自社別ＩＰ網
４    他社ＩＰ網
５，８，３５〜３９    加入端末
１０，２０    グループ
１１，１１−１，１１−２    ＳＳＣ
１２，１２−１，１２−２，１３，２３    ＩＳＣ
１４    ＰＳＴＮ接続装置
１５    他社ＩＰ網接続装置
１６，１６−１，１６−２    ＳＳＥ
１７，１９，２６，１１９    ＡＳ
１１０    ＳＩＰ処理部
１１１    転送部
１２０，１３０    中継転送部
１２１    能力差分吸収部
【図１】
2010206461.tif 000003
【図２】
2010206461.tif 000004
【図３】
2010206461.tif 000005
【図４】
2010206461.tif 000006
【図５】
2010206461.tif 000007
【図６】
2010206461.tif 000008
【図７】
2010206461.tif 000009
【図８】
2010206461.tif 000010
【図９】
2010206461.tif 000011
【図１０】
2010206461.tif 000012
【図１１】
2010206461.tif 000013
【図１２】
2010206461.tif 000014
【図１３】
2010206461.tif 000015
【図１４】
2010206461.tif 000016